【手続補正書】
【提出日】平成27年4月10日(2015.4.10)
【手続補正１】
【補正対象書類名】明細書
【補正対象項目名】００２９
【補正方法】変更
【補正の内容】
【００２９】
これまでに記載した飛翔虫ステーション１０は、上述した目的を満たすことに効果的に適しているが、本発明は、上記に開示し、及び定めた側面の、特定の好ましい実施形態に限定されることを意図しないことを理解すべきである。むしろ、本発明は、添付の特許請求の範囲の発明主題に対する全ての合理的な均等物を含むものとして理解すべきである。本発明の実施態様の一部を以下の項目［１］−［３０］に記載する。
［１］
飛翔虫を殺すための誘引ステーションであって、
ａ．実質的に暗色であり、及び
ｂ．実際上実質的に反射性であって、開口部の見掛けを提供する、
少なくとも一つの表面と、
前記表面上に乗った飛翔虫を殺すための前記表面上の殺虫剤と
を含む、誘引ステーション。
［２］
暗色の表面が、実質的に黒色である、項目１に記載の誘引ステーション。
［３］
反射面が、本質的に黒色の鏡、プレキシガラス、反射塗料、及びガラスからなる群から選択される、項目１に記載の誘引ステーション。
［４］
前記表面が、壁取付け型のパネルの一部を形成している、項目１に記載の誘引ステーション。
［５］
反射面が、暗色の表面によって少なくとも部分的に縁取られた、項目１に記載の誘引ステーション。
［６］
暗色の表面の少なくとも一部分が反射面から外へ延在しており、前記部分が取付面から離れて位置する、項目１に記載の誘引ステーション。
［７］
周囲表面の周辺に誘引剤のプルームを提供するため、反射面から外へ延在する前記暗色の表面の前記部分の下に、少なくとも部分的に囲まれた誘引剤ハウジングを更に含む、項目６に記載の誘引ステーション。
［８］
略暗色のパネルを含む、飛翔虫を殺すための誘引ステーションであって、前記パネルが、
ａ．略反射性の表面を含む第一の部分と、
ｂ．第一の部分に対して隆起したステージ状の第二の部分と、
ｃ．前記パネルの第一の部分の辺りに乗った飛翔虫を殺すための、第一の部分を囲む表面上の殺虫剤と
を有する、誘引ステーション。
［９］
前記パネルが、隆起した第二の部分の略下に配置された誘引剤ハウジングを含む、項目８に記載の誘引ステーション。
［１０］
前記パネルの周囲部分の周辺に誘引剤のプルームを提供する前記ハウジング内の誘引剤を更に含む、項目９に記載の誘引ステーション。
［１１］
前記誘引剤ハウジングは、第二の部分によって少なくとも部分的に形成されており第一の部分より下にある、項目８に記載の誘引ステーション。
［１２］
シナントロープなハエを殺すための誘引ステーションであって、
壁に対して取り付けることに適するパネルと、
略垂直状の表面を有する、前記パネルの外向き部分と、
前記外向き部分に配置され、前記パネルの辺りに誘引剤のプルームを提供する、誘引剤ハウジングと、
前記パネルの少なくとも一部の上の殺虫剤と
を含む、誘引ステーション。
［１３］
前記外向き部分が実質的に暗色であり前記殺虫剤の一部を含む、項目１２に記載の誘引ステーション。
［１４］
略垂直状の表面が反射面である、項目１２に記載の誘引ステーション。
［１５］
前記殺虫剤が餌を含む、項目１２に記載の誘引ステーション。
［１６］
飛翔虫を殺すためのシステムであって、
飛翔虫を誘引するための光源を備えるハウジングを有する虫抑制装置と、
前記ハウジングから分離した表面であって、実質的に暗色であり、飛翔虫が前記表面上に乗るために、前記虫抑制装置と接触している、又は前記虫抑制装置に略近接している、表面と、
を含んでおり、
ここで、前記虫抑制装置と組み合わせた前記表面は、単独で使用するよりも大きな相乗効果を有している、システム。
［１７］
前記表面は、開口部の見掛けを提供するための反射部分を含む、項目１６に記載のシステム。
［１８］
前記虫抑制装置が、殺虫剤、及び誘引剤を含む、項目１６に記載のシステム。
［１９］
前記表面が、表面上に乗った飛翔虫を殺すための殺虫剤を含む、項目１６に記載のシステム。
［２０］
前記表面に配置された誘引剤ハウジングを更に含む、項目１６に記載のシステム。
［２１］
前記表面が、壁取付け型のパネルの一部を形成している、項目１６に記載のシステム。
［２２］
飛翔虫を殺すためのシステムであって、
飛翔虫を誘引するための光源を備えるハウジングを有する虫抑制装置と、
前記ハウジングから分離したパネルであって、実質的に暗色であって開口部の見掛けを提供するための反射部分を有する、パネルと、
を含んでおり、
前記パネルは、飛翔虫が前記パネル上に乗るために、前記虫抑制装置と接触しており、又は前記虫抑制装置と略近接しており、
ここで、前記虫抑制装置と組み合わせた前記パネルは、単独で使用するよりも大きな相乗効果を有している、
システム。
［２３］
前記パネル、及び／又は前記虫抑制装置が、殺虫剤を含む、項目２２に記載のシステム。
［２４］
前記パネル、及び／又は前記虫抑制装置が、誘引剤を含む、項目２２に記載のシステム。
［２５］
反射部分が、前記パネルによって少なくとも部分的に囲まれている、項目２２に記載のシステム。
［２６］
虫抑制装置の捕獲率を増加させる方法であって、
前記虫抑制装置をある場所に置くことと、
パネルを実質的に暗色とし前記虫抑制装置から分離することと、
前記パネルを、前記虫抑制装置と接触して、又は前記虫抑制装置に近接して、前記場所に置くことと
を含む、方法。
［２７］
前記虫抑制装置と組み合わせて用いた前記パネルからの相乗効果を使用して、虫捕獲率を増加させることを含む、項目２６に記載の方法。
［２８］
前記パネル及び前記虫抑制装置を、前記場所において壁に取り付ける、項目２６に記載の方法。
［２９］
前記パネル、及び／又は前記虫抑制装置に、誘引剤を配置することを含む、項目２６に記載の方法。
［３０］
前記パネル、及び／又は前記虫抑制装置とともに、殺虫剤を使用することを含む、項目２６に記載の方法。
【手続補正２】
【補正対象書類名】特許請求の範囲
【補正対象項目名】全文
【補正方法】変更
【補正の内容】
【特許請求の範囲】
【請求項１】
飛翔虫を殺すための誘引ステーションであって、
ａ．実質的に暗色であり、及び
ｂ．実際上実質的に反射性であって、黒色の鏡、プレキシガラス、反射塗料、及びガラスからなる群から選択される鏡面反射面を含み、開口部の見掛けを提供する、
少なくとも一つの表面と、
前記表面上に乗った飛翔虫を殺すための前記表面上の殺虫剤と
を含む、誘引ステーション。
【請求項２】
前記表面の略下に配置された誘引剤ハウジングと組み合わされた請求項１に記載の誘引ステーション。
【請求項３】
前記表面が、実質的に黒色である、請求項１に記載の誘引ステーション。
【請求項４】
前記表面の一部が外へ延在して、誘引剤の保持に適合したキャビティを形成する、請求項１に記載の誘引ステーション。
【請求項５】
前記表面の下に配置された除去可能なハウジングをさらに含み、前記ハウジングは、前記ハウジングに隣接する表面及び前記ハウジングより上の表面の周辺に誘引剤のプルームを提供する誘引剤の保持に適合している、請求項１に記載の誘引ステーション。
【請求項６】
飛翔虫を殺すための、壁取付け型誘引ステーションであって、
暗色の表面によって少なくとも部分的に縁取られた、少なくとも一つの略平面状の反射面と、
前記反射面から外へ延在して壁から離れて位置する、前記暗色の表面の少なくとも一部と、
前記反射面の辺りに乗った飛翔虫を殺すための、一つ以上の前記表面上の殺虫剤と
を含む、壁取付け型誘引ステーション。
【請求項７】
シナントロープなハエを殺すための誘引ステーションであって、
開口部の見掛けを提供する反射面と、
前記反射面に隣接し、かつ前記反射面から少なくとも部分的に外に位置する暗色の表面と、
前記反射面の辺りに乗ったハエを殺すための、前記暗色の表面上の殺虫剤と
を含む、誘引ステーション。